(57)【要約】【課題】必要な防災用品があらかじめ収納され、しかも、災害時でも持ち出し易く、避難地では簡易テントに容易に変換でき極めて至便である避難用キャリングバッグを提供する。【解決手段】災害時に使用する発電機２５、蓄電器２６、浄水器２８等の防災用品４が収納されると共に移動できるように車輪７を備えた収納容器１と、該収納容器１と一体に設けられ展開することにより簡易テント２が組み立てられるようにしたテント本体３とからなり、収納容器１は三次元方向に自在に伸縮する枠部材１１により枠組され、収納容器１の外周壁５ａ〜５ｅを分割し枠部材１１を三次元方向に伸張させると共にテント本体３を張設してその枠部材１１を覆うことにより簡易テント２が形成されるようにした。【選択図】図２
2007016554.tif 000002
【特許請求の範囲】
【請求項１】
災害時に使用する発電機、蓄電器、浄水器等の防災用品が収納されると共に移動できるように車輪を備えた収納容器と、前記収納容器に一体に設けられ展開することにより簡易テントが組み立てられるテント本体とからなり、
前記収納容器は三次元方向に自在に伸縮する枠部材により枠組され、前記収納容器の外周壁を分割し前記枠部材を三次元方向に伸張させると共に前記テント本体を張設してその枠部材を覆うことにより簡易テントが形成されるようにしたことを特徴とする避難用キャリングバッグ。
【発明の詳細な説明】
【技術分野】
【０００１】
本発明は、主に家に備え付けられ、発電機、充電器、浄水器等の防災用品が収納されると共に地震などの災害時には収納容器を広げて容易に簡易テントに変換し得るようにした避難用キャリングバッグに関するものである。
【背景技術】
【０００２】
従来、地震などの災害が発生して家屋が倒壊してしまうと、安全な広い場所に急ぎ避難し、その場所で救援の来るのを待つことになる。そこで、これら避難者をしばらくの間収容しうる架設テントが考え出されている（例えば、特許文献１参照。）。
【特許文献１】登録実用新案第３０２７１９４号公報（第５−６頁、図１、図２）
【発明の開示】
【発明が解決しようとする課題】
【０００３】
しかしながら、前記特許文献１のような仮設テントがその場で緊急に用意でき形成できるのであれば喜ばしいことであるが、避難地によっては仮設テントを持った救援が到着するに何日も掛かる場合がある。その間、避難者は野宿のような生活を強いられ、雨の日や寒い日はこれらを凌ぐに苦労するばかりか不安になることも多い。
【０００４】
そこで、本発明は上記課題に鑑みてなされたもので、必要な防災用品があらかじめ収納され、しかも、災害時でも移動し易く避難地では容易に簡易テントに変換でき、救助が来るまでまたは来てからでもしばらくの間は一応生活ができるような利便性を備えた避難用キャリングバッグを提供することを目的とするものである。
【課題を解決するための手段】
【０００５】
かかる目的を達成するため本発明の避難用キャリングバッグは、災害時に使用する発電機、蓄電器、浄水器等の防災用品が収納されると共に移動できるように車輪を備えた収納容器と、該収納容器に一体に設けられ展開することにより簡易テントが組み立てられるテント本体とからなり、前記収納容器は三次元方向に自在に伸縮する枠部材により枠組され、収納容器の外周壁を分割し枠部材を三次元方向に伸張させると共にテント本体を張設してその枠部材を覆うことにより簡易テントが形成されるようにした構成からなる。
【発明の効果】
【０００６】
本発明の避難用キャリングバッグは、発電機、蓄電器等の防災用品が収納され、しかも、車輪を備えていることから移動が容易であって、避難地では容易に簡易テントに変換できることから、災害時には救援を待つことなく自分で速やかに用意でき極めて至便であるという効果がある。また、このようにして救援が来るまでまたは来てからもしばらくの間は一応生活ができるので、災害に対する備えという点で安心感が得られるという効果もある。
【０００７】
また、一つの簡易テントに一家族が入ることが望ましく、これにより個人のプライバシーも守られ、精神的及び肉体的疲労を軽減することができるばかりか健康面の悪化も押えられるという有益な効果がある。
【発明を実施するための最良の形態】
【０００８】
以下、本発明に係る避難用キャリングバッグの実施の形態を図面に基き説明する。図１は避難用キャリングバッグの斜視図、図２は同分解斜視図、図３は同中央縦断面図をそれぞれ示す。避難用キャリングバッグＡは、上面が開口する直方体形状の収納容器１と、該収納容器１に一体に設けられ簡易テント２を構成するテント本体３と、前記収納容器１内に収納され災害時に使用される防災用品４とから構成される。
【０００９】
前記収納容器１は、外周壁である前側壁５ａと後側壁５ｂと左右側壁５ｃ，５ｄと底壁５ｅとにより構成され、前側壁５ａと底壁５ｅとは二枚の軟質合成樹脂シート間に硬質合成樹脂板が封入され、残りの後側壁５ｂと左右側壁５ｃ，５ｄとは軟質の合成樹脂シートにより成形されている。この内、前側壁５ａと底壁５ｅは蝶番を介して一体に連接されるが、後側壁５ｂと左右側壁５ｃ，５ｄとは他の側壁との間で分割可能に設けられている。
【００１０】
前記前側壁５ａ後面の下端縁に沿って軸受６，６が固着され、該各軸受６，６に支軸８が挿通されると共に該支軸８の両端部に車輪７，７が取着される。更に詳しく説明すると、図３、図４に示すように支軸８の両端部に該支軸８と同一軸線上に位置して雄ねじ部８ａが設けられる。一方、各車輪７の軸部７ａにはねじ孔７ｂが貫設され、前記雄ねじ部８ａをねじ孔７ｂに螺合すると共に該雄ねじ部８ａにナット７ｃを螺締する。これにより、支軸８に車輪７が取着される。なお、両車輪７，７は左右側壁５ｃ，５ｄの外側に位置するため、前記支軸８の両端部は、左右側壁５ｃ，５ｄに開設された切欠３５を介してその外側へ突出している。また、支軸８の一側外周面には該支軸８よりも太径のゴム筒部８ｂが嵌着固定されている。
【００１１】
路面上を引いて避難用キャリングバッグＡを移動させているとき、前記両車輪７，７の回転に伴い電気が蓄えられるようになっている。このため、底壁５ｅの上面であって前端縁寄りに後記する蓄電器２６と一体になった小型の発電機２５が配置される。小型の発電機２５には、その一側面に前記支軸８と平行に位置する駆動軸３１が突設され、該駆動軸３１の先端部に円環状の作動輪３１ａが取着される。そして、この作動輪３１ａが支軸８に取着したゴム筒部８ｂの外周面に滑らず強く圧接するようになっている。作動輪３１ａの外周面は凹凸が設けられていることが好ましい。そこで、車輪７が回転することにより作動輪３１ａが同時に回転し、小型の発電機２５内に電気が起こりその電気が蓄電器２６に蓄えられる。
【００１２】
前記底壁５ｅの上面に前側の支軸８側に寄せて後側が開口する一対の係止部３６，３６が突設され、反対側である後側に支軸８とほぼ平行に位置するゴムバンド３７が張設されている。そこで、蓄電器２６の前面両側に設けられた突片２６ａ，２６ａを各係止部３６，３６に係止し、蓄電器２６の後側にゴムバンド３７を掛止する。これにより、蓄電器２６が底壁５ｅの上面にしっかりと固定される。また、ゴムバンド３７を外し両係止部３６，３６から両突片２６ａ，２６ａを抜くことにより、蓄電器２６及び小型の発電機２５を収納容器１から外に取り出すことができる。作動輪３１ａにはその外周縁に折畳み自在なレバー３１ｂが設けられており、小型の発電機２５を蓄電器２６と共に収納容器１から取り出した状態でも、該レバー３１ｂを手で摘んで作動輪３１ａを回転させることによって電気が起こせるようになっている。
【００１３】
前側壁５ａの上端縁に手で握ることができる把持部９が上下に摺動自在に設けられ、この把持部９を握り路面を転がして避難用キャリングバッグＡを移動できるようになっている。前記前側壁５ａの一側縁であって左側壁５ｃと隣接する同側縁はファスナー１０により該左側壁５ｃの一側縁に着脱自在に連接され、しかも、その位置の角部に配置され後記する簡易テント２の支柱１２ａに前側壁５が一体に設けられる。また、前側壁５ａの他側縁は右側壁５ｄの同側縁にファスナー１０により着脱自在に連結される。
【００１４】
左側壁５ｃは、前記前側壁５ａが一体に設けられた支柱１２ａにその一側縁が固着されると共に該前側壁５ａの一側縁とファスナー１０により着脱自在に連結され、左側壁５ｃの他側縁は後側壁５ｂの一側縁とファスナー１０により着脱自在に連結される。また、左側壁５ｃの下側縁は底壁５ｅの一側縁とファスナー１０により着脱自在に連結される。
【００１５】
後側壁５ｂの一側縁は後記する支柱１２ｄに固着される。また、後側壁５ｂの他側縁は右側壁５ｄの他側縁とファスナー１０により着脱自在に連結される。更に、後側壁５ｂの下側縁はファスナー１０により底壁５ｅの後側縁に着脱自在に連結される。右側壁５ｄの一側は支柱１２ｂに固着され、その下側縁は底壁５ｅの一側縁とファスナー１０により着脱自在に連結される。
【００１６】
収納容器１内には、その内周面に簡易テント２の骨組となる枠部材１１が配置される。この枠部材１１は、収納容器１内の四隅部にそれぞれ位置する四本の支柱１２ａ〜１２ｄと、これら隣り合う支柱１２ａ，１２ｂ、支柱１２ｂ，１２ｃ、支柱１２ｃ，１２ｄ、支柱１２ｄ，１２ａ間に架設される折畳み自在な連結部材１３とからなる。そこで、すべての支柱１２ａ〜１２ｄ及び各連結部材１３はいずれも同じ構造を有することから、便宜上、図５に示すように支柱１２ａ，１２ｂとその間の連結部材１３について説明する。
【００１７】
支柱１２ａ，１２ｂは、それぞれパイプを三重に重ねた構成からなり上下方向へ自在に伸縮し、共に伸びた状態で固定できるようになっている。連結部材１３は、主として各支柱１２ａ，１２ｂ間に架設される二組の横杆対１６，１６と二本の屋根杆１７，１７とからなる。すなわち、各支柱１２ａ，１２ｂの上端に固定部材１４が設けられ、その下方に支柱１２ａ，１２ｂに嵌合して上下に摺動し得る可動部材１５が設けられる。そして、各組の横杆対１６，１６はほぼ中央で交差すると共にその交差部で軸着され、しかも、自在に伸縮する構成からなる。また、各組の横杆対１６，１６の内、一方の横杆１６の基端が各固定部材１４に軸着され、他方の横杆１６の基端が各可動部材１５に軸着される。各横杆１６，１６の先端はそれぞれ相手方の組の対応位置する横杆１６の先端に軸着されている。
【００１８】
前記各屋根杆１７は、基端側の杆と先端側の杆をほぼ中央で突き合わせると共に該突合せ部を軸着してなり、この軸着部を中心に下方へのみ折れ曲るように構成され、しかも、先端側の杆が自在に伸縮するようになっている。そして、各屋根杆１７の基端は各固定部材１４に軸着され、先端は枠部材１１をテントとして使用できるように広げた状態でそのほぼ中央に位置する。それら先端は、別途用意した中央連結部材２４により一体に連結される。該中央連結部材２４は平面略Ｘ字状に成形され、各外周端面に前記各屋根杆１７の先端を嵌脱自在に嵌入する保持孔３２が開設される。また、基端が前記各可動部材１５に軸着され、先端が各屋根杆１７の基端側の杆の先端部に軸着されるようにして支持杆１８が設けられる。そこで、支柱１２ａ〜１２ｄをそれぞれ三段に伸ばし、それら間隔を広げると共に各可動部材１５を引き上げ、更に、各横杆１６及び屋根杆１７を伸ばす。これにより、簡易テント２の枠部材１１が組み立てられることになる。
【００１９】
テント本体３は、枠部材１１をテントとして使用できるように広げた状態で、その周側面を覆う大きさからなる。すなわち、テント本体３は、図６に示すように対角線状に配置された屋根杆１７の上面を覆う方形状の屋根布部１９ａを有し、該屋根布部１９ａの前端縁に前側の支柱１２ａと支柱１２ｂとの間の上半部位を覆う上前布部１９ｂ１が連接される。また、屋根布部１９ａの後端縁に後側の支柱１２ｃと支柱１２ｄとの間を覆う後布部１９ｃが連接され、該後布部１９ｃの後端縁に枠部材１１の底面を覆う底布部１９ｄが連接される。そして、該底布部１９ｄの後端縁に前記支柱１２ａと支柱１２ｂとの間の下半部位を覆う下前布部１９ｂ２が連接される。これら上・下前布部１９ｂ１，１９ｂ２を連接することにより前側の支柱１２ａ，１２ｂ間が覆われる。
【００２０】
更に、前記屋根布部１９ａの一側縁に支柱１２ａと支柱１２ｄとの間を覆う左布部１９ｅが連接され、屋根布部１９ａの他側縁に支柱１２ｂと支柱１２ｃとの間を覆う右布部１９ｆが連接されている。前記左布部１９ｅの中央部には、ファスナー２０に取着されたスライダー（図示せず。）をスライドすることにより開閉される扉２１を備えた出入口２２が設けられている。前記テント本体３の全周縁にはファスナー２３が設けられ、これらファスナー２３に取着されたスライダー（図示せず。）をスライドすることにより後布部１９ｃ、底布部１９ｄと左・右布部１９ｅ，１９ｆが着脱自在に連結される。同様に、上前布部１９ｂ１と下前布部１９ｂ２及び上・下前布部１９ｂ１，１９ｂ２と左・右布部１９ｅ，１９ｆも着脱自在に連結される。
【００２１】
防災用品４としては、例えば図２に示すように小型の発電機２５、蓄電器２６、照明器具２７、浄水器２８、壜入りの非常用の飲料水２９、缶入りの乾パン３０が用意されている。なお、図示は省略するがこれら以外に、例えばダンボール製の簡易トイレ、携帯用の簡易ストーブ、ボンベ式の簡易コンロ、鍋、食器セット、軍手、ラップフィルム、救急セット、使い捨てカイロ、万能シート、ティッシュペーパー、エアーマットなどを選択しても良い。また、個人的な必需品として財布、印鑑など貴重品を加えても良い。
【００２２】
本発明に係る避難用キャリングバッグＡは上記構成からなり、次にその使用方法について説明する。常には、収納容器１内に小型の発電機２５、蓄電器２６、浄水器２８、非常用の飲料水２９等の防災用品４を収納し、収納容器１の上面にテント本体３を畳みその上面を覆うようにして設置しておく。このようにして防災用品４が収納された避難用キャリングバッグＡは、各家庭に一個備え付けておくことが好ましい。
【００２３】
そこで、例えば地震が発生して家屋が崩壊しその中に留まることができないかまたは留まることが危険な状態になったときは、避難用キャリングバッグＡを外へ持ち出す。そして、前側壁５ａの上端縁から把持部９を上方へ引き出し、該把持部９を握り車輪７，７を転がしながら避難用キャリングバッグＡを引いて近くの運動場など安全な場所へ移動する。
【００２４】
運動場では、まず収納容器１内から防災用品４を外へ出す。そして、図７に示すように収納容器１における右側壁５ｄと左側壁５ｃと後側壁５ｂとをそれぞれ分離する。また、支軸８の両端部から車輪７，７を外すと共に支軸８も抜いておく。この状態で、図８に示すように各支柱１２ａ〜１２ｄを上下方向へ三段に伸ばして固定する。そして、支柱１２ａを基点として支柱１２ｂ、支柱１２ｃ及び支柱１２ｄをそれぞれ全体に方形枠状となるように移動させて広げる。同時に、各連結部材１３では、各組の横杆対１６，１６を伸ばすと共に各屋根杆１７も伸ばす。各屋根杆１７の先端はそれぞれ中央連結部材２４の保持孔３２に嵌入して固定する。この状態で、テント本体３を広げ、屋根布部１９ａを放射状に配設された４本の屋根杆１７の上面に配置し、後布部１９ｃを後側の支柱１０ｃ，１０ｄ間に張設すると共に底面に底布部１９ｄを張設する。
【００２５】
また、前側の支柱１０ａと支柱１０ｂとの間で上前布部１９ｂ１と下前布部１９ｂ２をそれぞれ張設し、上前布部１９ｂ１と下前布部１９ｂ２との付き合わせ端縁をファスナー２３により連結する。同様に、左側の支柱１０ａと支柱１０ｄとの間及び右側の支柱１０ｂと支柱１０ｃとの間でも左右布部１９ｅ，１９ｆを張設して、これら左右布部１９ｅ，１９ｆの周側縁と後布部１９ｃ、底布部１９ｄ、上前布部１９ｂ１及び下前布部１９ｂ２との両側縁とをファスナー２３により連結する。これにより、図９に示すように簡易テント２が完成する。なお、収納容器１の前側壁５ａ及び底壁５ｅ、後側壁５ｂ、左右側壁５ｃ，５ｄはいずれも簡易テント２の内側であって支柱１２ａ，１２ｂ，１２ｄに固着され邪魔になることはない。
【００２６】
小型の発電機２５は蓄電器２６に電気的に接続されており、避難用キャリングバッグＡを引いて路面上を移動している間に車輪７，７の回転と共に作動輪３１ａが回転し小型の発電機２５によって電気が起こされる。そして、この電気は蓄電器２６に蓄えられるので、簡易テント２を組立てた後でもすぐに電気が使用できる。また、蓄電量が少ないときは、作動輪３１ａを手で回転させることにより電気を蓄えることができる。蓄電器２６はラジオが内蔵され、ＤＣ出力端子３３，３３が２個、ＡＣ出力端子３４が１個設けられている。よって、例えば、ＤＣ出力端子３３はＬＥＤによる照明器具２７や携帯充電器（図示せず。）に接続でき、ＡＣ出力端子３４はパソコン、電熱器及び湯沸し器に接続できる。
【００２７】
このように、臨時的ではあるが簡易テント２と共に電気、ガス、水、食料といった最小限生活に必要なものは揃っており、しばらくの間は簡易テントでの生活が送れることになる。
【００２８】
余震も収まり簡易テント２での生活が終れば、各ファスナー２３のスライダーをスライドさせ左右布部１９ｅ，１９ｆと後布部１９ｃ、底布部１９ｄなどを分離して、テント本体３を畳む。また、中央連結部材２４を外して各屋根杆１７を折り畳むと共に各連結部材１３を折り畳み、各支柱１２ａ〜１２ｄを縮めて元の長さに納める。更に、各支柱１２ａ〜１２ｄを元の各隅角部に位置させ、その周囲に前後側壁５ａ，５ｂ・左右側壁５ｃ，５ｄ・底壁５ｅを配置すると共にファスナー１０のスライダーをそれぞれスライドさせ互いに連結して収納容器１を形成する。該収納容器１内には、底壁５ｅ上面に前記のように蓄電器２６と一体の小型の発電機２５を固定すると共に照明器具２７、浄水器２８等の他の防災用品４を収納する。また、各軸受６，６に支軸８を挿通して該支軸８の両端部に車輪７，７を取着する。そして、避難用キャリングバッグＡを引いて帰路に着く。
【００２９】
本発明に係る避難用キャリングバッグＡは、小型の発電機２５、蓄電器２６等の防災用品４が収納され、しかも、車輪７，７を備えていることから移動が容易であって、避難地では簡易テント２に容易に変換できる。よって、災害時には救援を待つことなく自分で速やかに用意でき極めて至便である。また、このようにして救援が来るまでまたは来てからもしばらくの間は一応生活ができるので、災害に対する備えという点で安心感が得られる。更に、避難地までの移動中に小型の発電機２５からの電気が蓄電器２６に蓄えられるので都合が良い。
【００３０】
また、一つの簡易テント２に一つの家族が入ることが望ましく、これにより個人のプライバシーも守られ、精神的及び肉体的疲労が軽減されるばかりか健康面の悪化も押えられる。
【００３１】
本発明に係る避難用キャリングバッグＡは、その大きさや形状を設置する場所の大きさや条件に合わせて調整することもでき、本実施の形態で説明した運動場の他に屋外や体育館等の避難施設内に設置するようにしても良い。また、この避難用キャリングバッグＡは、被災者のみならず例えば自衛隊・警察等救助を行なう側が利用することもできる。
【図面の簡単な説明】
【００３２】
【図１】本発明に係る避難用キャリングバッグの斜視図。
【図２】同分解斜視図。
【図３】同中央縦断面図。
【図４】同車輪部位の拡大平面断面図。
【図５】枠部材部位の側面図。
【図６】テント本体の展開平面図。
【図７】簡易テントの組立手順を示す避難用キャリングバッグの斜視図。
【図８】簡易テントの組立手順を示す避難用キャリングバッグの斜視図。
【図９】簡易テントの組立完成図。
【符号の説明】
【００３３】
１              収納容器
２              簡易テント
３              テント本体
４              防災用品
５ａ〜５ｅ      外周壁（前後側壁・左右側壁・底壁）
７              車輪
１１            枠部材
２５            発電機
２６            蓄電器
２８            浄水器
Ａ              避難用キャリングバッグ
【図１】
2007016554.tif 000003
【図２】
2007016554.tif 000004
【図３】
2007016554.tif 000005
【図４】
2007016554.tif 000006
【図５】
2007016554.tif 000007
【図６】
2007016554.tif 000008
【図７】
2007016554.tif 000009
【図８】
2007016554.tif 000010
【図９】
2007016554.tif 000011